(57)【要約】【課題】住居人の、睡眠行動に関する異常を住居人に報知することができる生活支援報知システムを提供する。【解決手段】制御装置１およびセンサ端末２により住宅内の寝室以外の部屋に設置されたテレビ１００の稼動状態を検出する稼動検出手段と、テレビ１００が設置された部屋の照度を計測する照度計測手段と、テレビ１００が設置された部屋において人の動きを検出する人検出手段と、稼動検出手段によりテレビ１００の稼動状態を検出した状態であり、かつ照度計測手段を用いて計測した照度が所定閾値以上である状態であり、かつ人検出手段により人の動きを検出しない状態が所定時間継続した場合に、寝室外睡眠行動であると判断する睡眠行動判断手段と、睡眠行動判断手段により寝室外睡眠行動であると判断されると寝室外睡眠行動であることを報知する報知手段と、を備えるようにした。【選択図】図１
2010231453.tif 000002
【特許請求の範囲】
【請求項１】
住宅内の寝室以外の部屋に設置された映像表示装置の稼動状態を検出する稼動検出手段と、
前記映像表示装置が設置された部屋の照度を計測する照度計測手段と、
前記映像表示装置が設置された部屋において人の動きを検出する人検出手段と、
稼動検出手段により映像表示装置の稼動状態を検出した状態であり、かつ照度計測手段を用いて計測した照度が所定閾値以上である状態であり、かつ人検出手段により人の動きを検出しない状態が所定時間継続した場合に、寝室外睡眠行動であると判断する睡眠行動判断手段と、
睡眠行動判断手段により寝室外睡眠行動であると判断されると寝室外睡眠行動であることを報知する報知手段と、を備えることを特徴とした生活支援報知システム。
【請求項２】
報知手段により寝室外睡眠行動が報知された場合に映像表示装置を停止する制御を行う制御手段を備えることを特徴とした請求項１記載の生活支援報知システム。
【発明の詳細な説明】
【技術分野】
【０００１】
本願発明は、生活支援報知システムに関するものである。
【背景技術】
【０００２】
近年、高齢者の人口増加に伴い、高齢者の独居世帯が増加する傾向にある。高齢者が一人暮らしをしていると、例えば、寝室外での睡眠行為等の睡眠行動に関する異常が発生することが懸念される。寝室外での睡眠行為は短時間であれば問題ないが、長時間に亘ると生活の乱れにつながり、睡眠による疲労回復が十分になされないため高齢者の体調悪化を招く可能性が有る。
同居人がいれば同居人の声かけによって、高齢者自身に睡眠行動に関する異常を認識させ、問題点を改善することができるが、高齢者の独居世帯では高齢者の日常生活を見てくれる同居人がいないため、高齢者に対して、睡眠行動に関する異常を気付かせることができないという問題があり、問題点を高齢者に報知して、睡眠行動に関する異常を防ぎたいという要望があった。
ところで、住居人の生活を支援するシステムとして、例えば特許文献１に示されるような支援システムが従来提案されている。この支援システムは、リモートコントロール操作が可能な各種生活設備機器の動作状況を収集するとともに、収集データから時系列に沿った一連の動作パターンを抽出し、抽出した動作パターンを予め登録された動作パターンとマッチングすることで、次の動作を予測して、生活設備機器の操作を提案したり、代行するシステムである。
【先行技術文献】
【特許文献】
【０００３】
【特許文献１】特開２００８−１９１１０９号公報
【発明の概要】
【発明が解決しようとする課題】
【０００４】
上述の支援システムは、住居人が生活設備機器を操作した動作パターンをもとに次の動作を予測して、生活設備機器の操作を提案したり、代行することで、住居人による生活設備機器の操作を支援するものであるが、住居人が日常的に行う生活行動の異常を検知して、異常を報知する機能は備えておらず、このような生活行動の異常を報知するシステムが要望されていた。
本願発明は、上記背景技術に鑑みて発明されたものであり、その課題は、住居人の、睡眠行動に関する異常を住居人に報知することができる生活支援報知システムを提供することである。
【課題を解決するための手段】
【０００５】
上記課題を解決するために、本願請求項１記載の発明では、住宅内の寝室以外の部屋に設置された映像表示装置の稼動状態を検出する稼動検出手段と、前記映像表示装置が設置された部屋の照度を計測する照度計測手段と、前記映像表示装置が設置された部屋において人の動きを検出する人検出手段と、稼動検出手段により映像表示装置の稼動状態を検出した状態であり、かつ照度計測手段を用いて計測した照度が所定閾値以上である状態であり、かつ人検出手段により人の動きを検出しない状態が所定時間継続した場合に、寝室外睡眠行動であると判断する睡眠行動判断手段と、睡眠行動判断手段により寝室外睡眠行動であると判断されると寝室外睡眠行動であることを報知する報知手段と、を備えることを特徴とした。
【０００６】
又、本願請求項２記載の発明では、上記請求項１記載の生活支援報知システムにおいて、報知手段により寝室外睡眠行動が報知された場合に映像表示装置を停止する制御を行う制御手段を備えることを特徴とした。
【発明の効果】
【０００７】
本願請求項１記載の発明の生活支援報知システムにおいては、稼動検出手段により映像表示装置の稼動状態を検出した状態であり、かつ照度計測手段を用いて計測した照度が所定閾値以上である状態であり、かつ人検出手段により人の動きを検出しない状態が所定時間継続した場合に、寝室外睡眠行動であると判断する睡眠行動判断手段と、睡眠行動判断手段により寝室外睡眠行動であると判断されると寝室外睡眠行動であることを報知する報知手段と、を備えるので、住居人に寝室外睡眠行動を報知することができる。
【０００８】
又、本願請求項２記載の発明の生活支援報知システムにおいては、特に、報知手段により寝室外睡眠行動が報知された場合に映像表示装置を停止する制御を行う制御手段を備えるので、映像表示装置が停止されることによって無駄なエネルギーの消費を防ぐことができる。
【図面の簡単な説明】
【０００９】
【図１】本願発明の実施形態である生活支援報知システムのシステム構成図である。
【図２】本願発明の実施形態である生活支援報知システムのセンサ状態格納部の内部構成図である。
【図３】本願発明の実施形態である生活支援報知システムのフローチャートである。
【発明を実施するための形態】
【００１０】
本願発明に係る生活支援報知システムは、住居内の寝室以外の部屋で住居人が睡眠する行為である寝室外睡眠行動を検出し、住居人に報知するシステムであり、以下に生活支援報知システムの実施形態を図面に基づいて説明する。
図１は本実施形態の概略的なシステム構成図であり、住居人が多くの時間を過ごす部屋、例えば映像表示装置であるテレビ１００が設置された居間に配設された制御装置１と、居間に設置されたセンサ端末２と、を主要な構成として備えている。センサ端末２は、住居内の居間に設置され、住居人の生活行動により発生する事象を検出して、検出結果を制御装置１に出力するものである。このセンサ端末２は全体的な制御を行うＣＰＵ３０と、例えば人体から放出される熱線を検出する焦電型の赤外線検出素子からなり、設置場所付近の検知エリアにおける人の存否を検出する人感センサ３１と、設置場所付近の明るさを検出する照度センサ３２と、アンテナ３３ａを介して無線信号（電波信号）を送受信する無線通信部３３と、無線通信部３３が送信する送信データを格納する送信データ格納部３４とを備え、人感センサ３１、照度センサ３２の検出信号を定期的に制御装置１に無線送信するものである。すなわち人感センサ３１およびＣＰＵ３０から人検出手段が、照度センサ３１およびＣＰＵ３０から照度計測手段が構成されている。
制御装置１は、ＡＣ１００Ｖ用の電源コンセント（図示せず）に接続される一対の栓刃３と、テレビ１００の電源プラグ１００ａが接続されるコンセント口４とを備え、栓刃３が電源コンセントに接続されるとともに、電源プラグ１００ａがコンセント口４に接続されると、栓刃３を介して入力される交流電源から制御装置１の動作電源を得るとともに制御装置１を介してテレビ１００に交流電源が供給される。
また、制御装置１は全体的な制御を行うＣＰＵ５と、栓刃３とコンセント口４との間を接続する電路に流れる電流を検出するカレントトランスのような電流センサ６と、電流センサ６のアナログ出力をデジタル信号に変換してＣＰＵ５に出力するＡ／Ｄ変換部７と、栓刃３とコンセント口４との間を接続する電路に流れる電流を遮断するリレー８と、Ａ／Ｄ変換部７によりデジタル信号に変換されたテレビ１００の入力電流値を記憶する電流値格納部９と、テレビ１００との間でＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格の通信を行うＨＤＭＩ通信部１０と、ＨＤＭＩ通信部１０からテレビ１００へ出力させる制御データを格納するＨＤＭＩ制御データ格納部１１と、ＨＤＭＩ通信部１０からテレビ１００へ出力させる映像、音声の信号（ＡＶデータ）を格納するＨＤＭＩＡＶデータ格納部１２と、リレー８の制御を行うリレー制御部１３と、アンテナ１４ａを介して無線信号（電波信号）を送受信する無線通信部１４と、無線通信部１４が受信した受信データを格納する受信データ格納部１５と、前日および当日のそれぞれについてセンサ端末２により検出された居間の状態データを格納するセンサ状態格納部１６と、テレビ１００を用いて映像や音声で通知する通知内容を格納するＴＶ通知内容格納部１７と、を備えている。また、ＣＰＵ５は、動作クロックをカウントすることによって現在の時刻情報を取得するタイマ５ａを備えている。
制御装置１では、無線通信部１４が居間に配設されたセンサ端末２から送信された無線信号を受信すると、受信データを受信データ格納部１５に一旦格納しており、ＣＰＵ５では受信データ格納部１５に格納されたデータを受信時刻と対応付けてセンシング情報としてセンサ状態格納部１６に格納している。また、ＣＰＵ５は、Ａ／Ｄ変換部７から入力された電流センサ６の検出情報をセンシング情報としてセンサ状態格納部１６に格納している。図２は、居間の当日のセンシング情報を示しており、各種のセンシング情報が４分間隔で格納されている。なお、図２では、当日の２３時（午後１１時）までのセンシング情報を示しているが、制御装置１は逐次センシング情報を取得しており、センサ状態格納部１６には、２３時以降のセンシング情報も所定の時間間隔（例えば４分間隔）で格納される。
そして、睡眠行動判断手段としてのＣＰＵ５は、センサ状態格納部１６に格納されたセンシング情報（電流センサ６の検出情報やセンサ端末２から入力された情報）をもとに住居人の寝室外睡眠行動を検出している。また、本システムでは、報知の形態としてテレビ１００を用いて映像や音声で住居人に報知しており、ＣＰＵ５はＨＤＭＩＡＶデータ格納部１２に格納された通知内容をＨＤＭＩ通信部１０からテレビ１００に出力してテレビ１００から映像や音声で寝室外睡眠行動を報知している。ここにおいて本実施形態では制御装置１のＣＰＵ５、ＨＤＭＩ通信部１０、テレビ１００などから報知手段が構成されている。
次に、制御装置１が行う、住居人の寝室外睡眠行動の判断処理を図３のフローチャートを用いて説明する。ＣＰＵ５は一定時間毎に（例えば１分毎）判断処理を実行しており、判断処理を開始すると、まずタイマ５ａの取得した現在時刻が寝室外睡眠行動の判定を行う対象時間帯（例えば２１時から２４時までの間）であるか否かを判定し（Ｓ１）、対象時間帯でなければ、後述するＳ８の処理に移行する。一方、現在時刻が寝室外睡眠行動の判定を行う対象時間帯であれば、ＣＰＵ５はセンサ状態格納部に格納された当日のセンシング情報（図２）を参照して（Ｓ２）、住居人が居間で寝入ってしまったか否かを判断する。住居人が居間で寝入ってしまった場合、人体の動きがないため、焦電素子を用いた人感センサ３１では人の存在を検知することができず、テレビ１００は稼動状態であり、また照明器具は点灯したままになっていると予想される。したがって、ＣＰＵ５では、当日のセンシング情報をもとに、１５分前から現在までの間（直近１５分以内）にセンサ端末２の人感センサ３１が人を検知した否かを判断し（Ｓ３）、人（すなわち人の動き）を検知していれば住居人は起きていると判断して、後述のＳ８の処理に移行する。一方直近１５分以内に人を検知していなければ、ＣＰＵ５は、Ａ／Ｄ変換部７から入力された電流の検出結果から、直近１５分間でテレビ１００の電源がオフになることなく、稼動状態が継続しているか否か判断し（Ｓ４）、直近１５分間でテレビ１００の稼動状態が継続していない場合は、住居人がテレビ１００のオン／オフ操作を行ったすなわち住居人は起きていると判断して後述のＳ８の処理に移行する。一方直近１５分間でテレビ１００の稼動状態が継続している場合は、ＣＰＵ５は照度センサ３２の検出した照度と所定の規定値との高低を比較し（Ｓ５）、直近１５分間で照度が規定値より暗くなる期間があれば、住居人が照明器具のオン／オフ操作を行った、すなわち住居人が起きていると判断して、後述のＳ８の処理に移行する。そしてＳ５の判定の結果、直近１５分以内に照度が規定値よりも常に明るいと判断された場合、ＣＰＵ５は、照明器具を点灯させたまま、住居人が寝入ったものと判断し、当日、既に寝室外睡眠行動を報知したか否かを判断し（Ｓ６）、報知済みであれば後述のＳ８の処理に移行し、報知済みでなければ、ＴＶ通知内容格納部１７から寝室外睡眠行動に対する通知内容を読み出して、ＨＤＭＩＡＶデータ格納部１２に格納する（Ｓ７）。
次にＣＰＵ５は、ＨＤＭＩＡＶデータ格納部１２を参照し（Ｓ８）、ＨＤＭＩＡＶデータ格納部１２に通知内容が格納されているか否かを判断する（Ｓ９）。Ｓ９の判定の結果、ＨＤＭＩＡＶデータ格納部１２に通知内容が格納されていれば、ＣＰＵ５は、Ａ／Ｄ変換部７から入力された電流の検出結果からテレビ１００の電源がオンかオフか判定し（Ｓ１０）、テレビ１００の電源がオンであればＨＤＭＩＡＶデータ格納部１２に格納された通知内容をＨＤＭＩ通信部１０からテレビ１００に出力させて（Ｓ１１）、テレビ１００に住居人対する報知動作を行わせた後に、ＨＤＭＩＡＶデータ格納部１２の格納データをクリアして（Ｓ１２）、Ｓ１３の処理に移行する。Ｓ１３ではＣＰＵ５は、リレー８を制御することによりテレビ１００への電流を遮断し、テレビ１００の電源をオフに制御して、判断処理を終了する。また、Ｓ９の判定でＨＤＭＩＡＶデータ格納部１２に通知内容が格納されていない場合、またＳ１０の判定でテレビ１００の電源がオフの場合も、ＣＰＵ５は判断処理を終了する。
以上説明したように本システムによれば、住居人が寝室以外の部屋で睡眠している（寝室外睡眠行動中である）と判断された場合に寝室外睡眠行動を住居人に知らしめることができる。特に住居人が一人暮らしの高齢者である場合は、同居人が不在のため、本システムにより寝室外睡眠行動を報知することで、住居人の寝室外睡眠行動を防止することができ、寝室外睡眠行動により疲労回復が十分になされず、体調の悪化を招くことを防ぐことができる。
また、寝室外睡眠行動を報知した後にリレー８を制御することによりテレビ１００の電源をオフにするので、テレビ１００の無駄なエネルギーの消費を防ぐことができる。
【符号の説明】
【００１１】
１  制御装置
２  センサ端末
３  栓刃
４  コンセント口
５  ＣＰＵ
５ａ  タイマ
６  電流センサ
７  Ａ／Ｄ変換部
８  リレー
９  電流値格納部
１０  ＨＤＭＩ通信部
１１  ＨＤＭＩ制御データ格納部
１２  ＨＤＭＩＡＶデータ格納部
１３  リレー制御部
１４  無線通信部
１５  受信データ格納部
１６  センサ状態格納部
１７  ＴＶ通知内容格納部
３１  人感センサ
３２  照度センサ
３３  無線通信部
３４  送信データ格納部
【図１】
2010231453.tif 000003
【図２】
2010231453.tif 000004
【図３】
2010231453.tif 000005